(57)【特許請求の範囲】
【請求項１】
地表面から掘削坑を設けて、当該掘削坑内に搭状構造物の略「く」の字型に曲がった脚材を挿入して、コンクリートを打設し、当該脚材を固定する、脚材据付け工法において、掘削坑の地表面の開口部を囲むように架台を設け、この架台に脚材を吊るしてこの状態で掘削坑内に作業員が入ることなく、脚材の傾斜角度調整及び中心位置調整を行い、並びに、脚材の姿勢及び位置を固定させ、上記脚材の傾斜角度調整は、架台に設けた位置調整装置から吊り下げた吊り下げ棒の下端に吊り下げ治具を設け、当該吊り下げ治具で脚材を吊り下げ、この吊り下げ治具又は吊り下げ棒の脚材に対する取付け位置をずらすことにより行うことを特徴とする、搭状構造物の脚材据付け工法。
【請求項２】
上記脚材の中心位置調整は、架台に設けた位置調整装置から吊り下げた吊り下げ棒の下端に吊り下げ治具を設け、当該吊り下げ治具で脚材を吊り下げ、この吊り下げ治具又は吊り下げ棒の上下方向への移動、水平方向への移動又は当該吊り下げ治具の回転移動の何れか一つ又は複数を行うことを特徴とする、請求項１項記載の搭状構造物の脚材据付け工法。
【請求項３】
地表面から掘削坑を設けて、当該掘削坑内に搭状構造物の略「く」の字型に曲がった脚材を挿入して、コンクリートを打設し、当該脚材を固定する、脚材据付け工法において、掘削坑の地表面の開口部を囲むように架台を設け、この架台に脚材を吊るしてこの状態で掘削坑内に作業員が入ることなく、脚材の傾斜角度調整及び中心位置調整を行い、並びに、脚材の姿勢及び位置を地表面から挿入した固定ジャッキで支持した状態で掘削坑内にコンクリートを打設し、上記脚材の傾斜角度調整は、架台に設けた位置調整装置から吊り下げた吊り下げ棒の下端に吊り下げ治具を設け、当該吊り下げ治具で脚材を吊り下げ、この吊り下げ治具又は吊り下げ棒の脚材に対する取付け位置をずらすことにより行うことを特徴とする、搭状構造物の脚材据付け工法。
【請求項４】
掘削坑内に搭状構造物の略「く」の字型に曲がった脚材を挿入し、該脚材を吊り下げた状態で脚材の傾斜角度、及び、中心位置を調整した後、別設のコンクリート打設手段によりコンクリートを打設して、当該脚材を固定する、脚材据付け装置において、
当該脚材据付け装置は、上記掘削坑の地表面の開口部を囲むように設けた架台、該架台に取り付けた上記脚材の位置調整装置、吊り下げ治具、及び上記脚材の固定装置から構成されており、
上記位置調整装置は、吊り下げ棒を介して上記脚材の吊り下げ治具を支持しているとともに、
上記吊り下げ治具により脚材を吊り下げたまま、上記吊り下げ治具の上下方向を調整する高さ調整装置、上記吊り下げ治具を水平移動する面対角寸法調整装置、及び、上記吊り下げ治具を水平回転させる軸回転調整器を配設しており、
上記脚材の吊り下げ治具は、脚材の傾斜角度を調整する傾斜角度調整器を具備しており、
上記脚材の固定装置は、上記掘削坑内で上記脚材の上下部の少なくとも２箇所以上において、脚材の外周と掘削坑内壁に当接するように拡幅するジャッキ機構を有し、これらの構成により掘削坑内に作業員が入ることなく、脚材の姿勢や位置を固定できる装置であることを特徴とする、搭状構造物の脚材据付け装置。
【請求項５】
上記高さ調整装置は、上記脚材の吊り下げ治具調整装置の台板、及び上板を貫通して配設された上記吊り下げ棒の高さ調整ナットの回転により、上記吊り下げ棒の長さを調整する機構であることを特徴とする、上記請求項４項に記載の搭状構造物の脚材据付け装置。
【請求項６】
上記面対角寸法調整装置は、上記位置調整装置の台板上の複数のフリーベアリングに載置した上板の４側面を、ボルトの回転により移動調整する機構であることを特徴とする、上記請求項４項又は５項の何れかに記載の搭状構造物の脚材据付け装置。
【請求項７】
上記軸回転調整器は、上記上板上において、上記吊り下げ棒からの突片をボルトの回転により、上記吊り下げ棒を回転する機構であることを特徴とする、上記請求項４項、５項又は６項の何れかに記載の搭状構造物の脚材据付け装置。
【請求項８】
上記傾斜角度調整器は、上記脚材の吊り下げ治具に取り付けた上記吊り下げ棒の位置を、調整ボルトの回転によりずらすことにより調整する機構であることを特徴とする、上記請求項４項、５項、６項又は７項の何れかに記載の搭状構造物の脚材据付け装置。
【発明の詳細な説明】
【０００１】
【発明の属する技術分野】
この発明は、地表面から掘削坑を設けて、当該掘削坑内に塔状構造物の略「く」の字型に曲がった脚材を挿入して、コンクリートを打設し、当該脚材を固定する、脚材据付け工法及びその装置に関するものであり、掘削坑内に作業員が入ることなく、地上から安全に据付け位置に設置できるものである。
【０００２】
【従来の技術】
図１９に示すように、鉄塔等の塔状構造物は、地上部分の上部構造Ａと、土中に埋設された基礎構造Ｂから構成されている。この基礎構造Ｂは、地表面から掘削坑を掘り、その後に、上部構造と基礎構造を連結するための、上部構造の最下部節部材である脚材を掘削坑内に挿入、固定し、その後に、コンクリートを掘削坑内に流し込んでコンクリートを硬化させて構築する。また、この図に示すように、塔状構造物の上部構造が中心方向に傾斜している場合、一般に、脚材は地上付近で略「く」の字に曲がっている。
この塔状構造物の最下部節である脚材は、上部を組み立てる際に部材の水平不良、部材間の穴ずれ等が発生しないよう、基礎構造の掘削坑内に傾斜角度と中心位置を正確に据付けなければならない。
具体的には、図２０に示すように、脚材の傾斜角度調整は、「く」の字に曲がった脚材（イ）を支持する地上部の鋼パイプ（ロ）の長さと掘削坑（ハ）内の床盤（ニ）に設置した据付け調整用ブロック（ホ）の高さを作業員が声をかけ合いながら調整することにより行い、また、中心位置調整は掘削坑（ハ）の内部に作業員が立入り、脚材（イ）の底部をバールで適宜ずらす等して行っていた。
【０００３】
また、掘削坑内に作業員が入ることなく、塔状構造物を構築することは、例えば、特開平１０−３１７３９１号公報に記載されているように、当業界では、試みられてきた。しかしながら、この試みは、まっすぐな下部の脚材をまずコンクリートで固めた後、上部の脚材をくの字型に曲がった方向に取り付ける、いわば、上下部の脚材どうしを現場で方向調整しながら連結するものであって、くの字型に曲がった脚材をそのまま現場で構築するのではない。
【０００４】
【発明が解決しようとする課題】
前者の工法では、まず、掘削坑（ハ）を予め深く掘り、コンクリートを打設して、上記据付け調整用ブロック（ホ）を置く水平な床盤（ニ）を作らなければならない。そのため手間がかがり、かつコンクリート硬化のための時間を要していた。また、鋼パイプ（ロ）の長さの調整や、据付け調整用ブロック（ホ）の高さの調整は、異なった場所で夫れ夫れ行うため、据付けブロックの作業員の指示通りに鋼パイプ調整の作業員が長さを調整するのは難しく、極めて煩雑でかつ手間のかかる作業であった。また、作業員が掘削坑（ハ）の底部に入り、据付け調整用ブロック（ホ）の高さの調整をしたり、脚材（イ）の底部をバールでずらす作業をしなければならず、これらの作業は多大な労力を要す割に所望の位置に容易に設置できず、長時間の作業となる等の欠点があった。
しかもこの方法では、掘削坑（ハ）の内径が小さくなると、掘削坑（ハ）内の作業スペースが十分に確保できなくなるので、脚材据付けが困難又は、不可能であった。このため、作業スペース分だけ内径を大きく掘削する必要があり、その分、掘削時間、ひいては塔状構造物の建設時間が長くなり、さらには建設コストまで高くなってしまう。
また、後者の、特開平１０−３１７３９１号公報に記載された工法では、作業員が掘削坑に入る必要はないが、下部の脚材がコンクリートで固まるまで待たねば、上部の脚材を取り付けることができないため、効率よく、短時間に塔状構造物を構築することはできない。
一般に、塔状構造物は、山岳地帯等、足場の悪い所に設置する場合が多いために、できるだけ、上記のように「く」の字方向に現場で調整する過程を極力省略し、予め工場で製造しておくことが好ましい。
【０００５】
そこでこの発明は、これらの点に鑑みて為されたものであり、掘削坑内部に作業員が入らずに、地上で作業ができ、作業が極めて容易、かつ迅速にできる、塔状構造物の脚材据付け工法及びその装置を提供し、上記課題を解決するものである。
【０００６】
【課題を解決するための手段】
請求項１項の発明は、地表面から掘削坑を設けて、当該掘削坑内に搭状構造物の略「く」の字型に曲がった脚材を挿入して、コンクリートを打設し、当該脚材を固定する、脚材据付け工法において、掘削坑の地表面の開口部を囲むように架台を設け、この架台に脚材を吊るしてこの状態で掘削坑内に作業員が入ることなく、脚材の傾斜角度調整及び中心位置調整を行い、並びに、脚材の姿勢及び位置を固定させ、上記脚材の傾斜角度調整は、架台に設けた位置調整装置から吊り下げた吊り下げ棒の下端に吊り下げ治具を設け、当該吊り下げ治具で脚材を吊り下げ、この吊り下げ治具又は吊り下げ棒の脚材に対する取付け位置をずらすことにより行う、搭状構造物の脚材据付け工法とした。そして、請求項２項の発明は、上記脚材の中心位置調整は、架台に設けた位置調整装置から吊り下げた吊り下げ棒の下端に吊り下げ治具を設け、当該吊り下げ治具で脚材を吊り下げ、この吊り下げ治具又は吊り下げ棒の上下方向への移動、水平方向への移動又は当該吊り下げ治具の回転移動の何れか一つ又は複数を行う、請求項１項記載の搭状構造物の脚材据付け工法とした。
【０００７】
また、請求項３項の発明は、地表面から掘削坑を設けて、当該掘削坑内に搭状構造物の略「く」の字型に曲がった脚材を挿入して、コンクリートを打設し、当該脚材を固定する、脚材据付け工法において、掘削坑の地表面の開口部を囲むように架台を設け、この架台に脚材を吊るしてこの状態で掘削坑内に作業員が入ることなく、脚材の傾斜角度調整及び中心位置調整を行い、並びに、脚材の姿勢及び位置を地表面から挿入した固定ジャッキで支持した状態で掘削坑内にコンクリートを打設し、上記脚材の傾斜角度調整は、架台に設けた位置調整装置から吊り下げた吊り下げ棒の下端に吊り下げ治具を設け、当該吊り下げ治具で脚材を吊り下げ、この吊り下げ治具又は吊り下げ棒の脚材に対する取付け位置をずらすことにより行う、搭状構造物の脚材据付け工法とした。
【０００８】
また、さらに、請求項４項の発明は、掘削坑内に搭状構造物の略「く」の字型に曲がった脚材を挿入し、該脚材を吊り下げた状態で脚材の傾斜角度、及び、中心位置を調整した後、別設のコンクリート打設手段によりコンクリートを打設して、当該脚材を固定する、脚材据付け装置において、当該脚材据付け装置は、上記掘削坑の地表面の開口部を囲むように設けた架台、該架台に取り付けた上記脚材の位置調整装置、吊り下げ治具、及び上記脚材の固定装置から構成されており、上記位置調整装置は、吊り下げ棒を介して上記脚材の吊り下げ治具を支持しているとともに、上記吊り下げ治具により脚材を吊り下げたまま、上記吊り下げ治具の上下方向を調整する高さ調整装置、上記吊り下げ治具を水平移動する面対角寸法調整装置、及び、上記吊り下げ治具を水平回転させる軸回転調整器を配設しており、上記脚材の吊り下げ治具は、脚材の傾斜角度を調整する傾斜角度調整器を具備しており、上記脚材の固定装置は、上記掘削坑内で上記脚材の上下部の少なくとも２箇所以上において、脚材の外周と掘削坑内壁に当接するように拡幅するジャッキ機構を有し、これらの構成により掘削坑内に作業員が入ることなく、脚材の姿勢や位置を固定できる装置である、搭状構造物の脚材据付け装置とした。
【０００９】
請求項５項の発明は、上記請求項４項に記載の装置において、上記高さ調整装置は、上記脚材の吊り下げ治具調整装置の台板、及び上板を貫通して配設された上記吊り下げ棒の高さ調整ナットの回転により、上記吊り下げ棒の長さを調整する機構とした。また、請求項６項の発明は、上記請求項４項又は５項の何れかに記載の装置において、上記面対角寸法調整装置は、上記位置調整装置の台板上の複数のフリーベアリングに載置した上板の４側面を、ボルトの回転により移動調整する機構とした。また、請求項７項の発明は、上記請求項４項、５項又は６項の何れかに記載の装置において、上記軸回転調整器は、上記上板上において、上記吊り下げ棒からの突片をボルトの回転により、上記吊り下げ棒を回転する機構とした。また、請求項８項の発明は、上記請求項４項、５項、６項又は７項の何れかに記載の装置において、上記傾斜角度調整器は、上記脚材の吊り下げ治具に取り付けた上記吊り下げ棒の位置を、調整ボルトの回転によりずらすことにより調整する機構とした。
【００１０】
【発明の実施の形態例】
以下この発明の実施の形態例を図に基づいて説明する。図１は、この発明の概略を理解しやすくするために、クレーンで吊り下げる工程を省略して、作業員が掘削坑に入ることなく、「く」の字型に曲がった脚材４を据付け台３の調整装置１２から、脚材吊り下げ治具８を介して掘削坑内（図１ではこの掘削坑内に、後述する円筒状の掘削杭２を挿入したものである。）に垂下したところを示したものである。脚材４は、上下２個の振れ止めジャッキ２３（他の１個は脚材４の裏側のため省略）、及び地表面１の振れ止め２２により、揺れが防止される構成になっている。地表面１の振れ止め２２は、従来技術のように脚材４の位置を調整するものではなく、単に脚材４の揺れを止める治具である。図１により、掘削坑に作業員が入ることなく、脚材４を掘削坑内に固定するこの発明の概略が理解されるであろう。以下では、このような状態に脚材４を垂下して、固定するまでの工程を説明する。
【００１１】
まず、図２に示すごとく、地表面１に穴を掘削し、当該穴に円筒状の掘削杭２を、上方の開口縁が地表面１から一定長突出するように挿入する。そして、この掘削杭２の地表面１から一定長突出した開口縁を囲むように、地表面１上に櫓型の据付け架台３を設置する。そして、この据付け架台３の上から、「く」の字型の脚材４を、クレーンで吊り下ろし、当該脚材４の下部を掘削杭２内に入れる。このクレーンでの脚材４の吊り下げは、脚材４の上端のフランジ部４ａに着脱自在に設けたアイボルト５に玉掛けワイヤー６の下端を係止し、当該玉掛けワイヤー６の上端をクレーンのフック７に掛けて、吊り下げる。図３は、脚材４の吊り下げ状態を見やすくするために、図２の左側面から見た図である。図３に示すごとく、当該脚材４の上端のフランジ部４ａが、据付け架台３内に降りた状態で、当該フランジ部４ａに、脚材吊り下げ治具８を固定し、この脚材吊り下げ治具８に、据付け架台３の両側の吊り下げ金具９に上端を固定した玉掛けワイヤー１０の下端を係止し、脚材４の重量を据付け架台３に移し、仮吊りとする。そこでフランジ部４ａからアイボルト５を外し、クレーンのフック７をフリーにする。
【００１２】
次に、図４に示すように、このフリーになったクレーンのフック７に、２本の腕木１１を下面に固定した調整装置１２の吊り上げ用アイナット１３に下端を係止した玉掛けワイヤー１４の上端を掛け、上記調整装置１２から垂下した吊り下げ棒１５の下端を、図６のように、上記脚材吊り下げ治具８の上端の方にボルト止めする。そして、調整装置１２の高さ調整ナット１６を回転させて、吊り下げ棒１５の垂下長を調整し、脚材４の重量が上記調整装置１２に移ったら、仮吊りに使用していた玉掛けワイヤー１０を外す。そして図５に示すように、上記調整装置１２の２本の腕木１１を据付け架台３の上にボルト止めする。
【００１３】
図６乃至図８は、図２と同じ側面から見たところを示している。図６に示すように、脚材４の上端からさげふり１７を掘削杭２内に垂下し、予め脚材４の側面にマークしておいたころび測定用ポンチマークに折尺１８をあわせて、当該脚材のころび（傾斜角）寸法を測定し、許容範囲外である場合は、上記脚材吊り下げ治具８のころび調整ボルト４０を操作して、脚材４のフランジ部４ａに対する脚材吊り金具１９（又は吊り下げ棒１５）の位置をずらし、ころび調整する。
【００１４】
また、図７に示すように、レベル等での視準線に対する脚材吊り下げ治具８の位置を折尺１８を当てて測定し、上記調整装置１２の高さ調整ナット１６をスパナ等（図示省略）で回転させ、これにより、調整装置１２から垂下した吊り下げ棒１５の長さが変化し、当該吊り下げ棒１５に吊り下げられた脚材４の高さ調整を行う。また、次に掘削杭２内の脚材４を水平方向に動かして、予め定められた位置に移動させる。それには、図８に示すように、上記調整装置１２の４個の面対角寸法調整ボルト２０を回して位置を定める。また、面・対角寸法に伴い、必要なまいまい（軸回転）調整は、上記調整装置１２に設けたまいまい(軸回転)調整器２１で行う。
【００１５】
そして、この状態の脚材４の姿勢を維持するため、図１に示すように、鋼パイプから成る振れ止め２２を脚材４の上端に当てておく。そして振れ止めジャッキ２３を脚材４の外周と掘削杭２の内壁との間に挿入する。この振れ止めジャッキ２３は、図１及び図９に示すように、掘削杭２の内部の脚材４の上下部の夫れ夫れ三箇所で、脚材４の外周と掘削杭２の内壁に当接するように、当該振れ止めジャッキ２３の幅を広げて調整する。これにより、掘削杭２の内部で、脚材４全体が固定される。そしてこの状態で、掘削杭２と脚材４との間にコンクリートを打設し、脚材４の下部を地中に固定し、据付けが完了する。その際、下部の振れ止めジャッキ２３については、コンクリートに埋設しないようにするため、コンクリートの打設位置に合わせて上方に移動させながら、コンクリートを打設する。
【００１６】
次に、上記の方法に使用した、装置ないし機器の構造について説明する。図１０ないし図１２は、上記調整装置１２を示し、この調整装置１２は、上述のように間隔を開けて平行に並べた２本の腕木１１の中央部に、当該調整装置１２の台板２５をこれらの腕木１１に股がるように載せて固定されている。そしてこの台板２５の中央部には、大径の透孔２６が設けられ、この透孔２６の周囲に複数のフリーベアリング２７が設けられ、これらのフリーベアリング２７の上に、上記まいまい調整器２１や高さ調整ナット１６を設けたほぼ四角形の上板２８が移動自在に載っている。
【００１７】
また、上記台板２５の四方の外周縁近くには、横向きの貫通孔及びこの貫通孔に続くナット２９ａを有する縦板２９が夫れ夫れ相対向して設けられ、これら四方の各縦板２９の貫通孔及びナット２９ａに上記面対角寸法調整ボルト２０が螺着、貫通している。これらの面対角寸法調整ボルト２０の先端が対向している上板２８の各端縁には、当接板３０が固定されている。従って相対向する面対角寸法調整ボルト２０の一方を緩め、他方を締め付ければ、上板２８は当該ボルト２０に押されて緩めた面対角寸法調整ボルト２０の方向に、フリーベアリング２７の上を滑って移動する。それ故、４つの面対角寸法調整ボルト２０を緩めたり締め付けたりして、当該調整装置１２そのものの面寸法、及び対角寸法を調整できる。
【００１８】
また、上記吊り下げ棒１５は上記まいまい調整器２１の中を通って上方に突出し、この上端部に上記高さ調整ナット１６が螺着されており、また下方に突出した吊り下げ棒１５は上記台板２５の透孔２６を貫通して、２つの腕木１１の間を通り、当該調整装置１２の下方に垂下している。また、まいまい調整器２１内の吊り下げ棒１５は、キーとキー溝を設けることによりまいまい調整器２１に対して上下に移動自在であるが、水平方向の回転は阻止され、まいまい調整器２１と一体に回転する。このまいまい調整器２１の外周一側には、突片２１ａが突設され、上記縦板２９、ナット２９ａ、及び面対角寸法調整ボルト２０と同様な構造の縦板３１、ナット３１ａ及び調整ボルト３２の組合せが２対、突片２１ａを挟んで相対向して設けられている。さらに台板２５の四隅には、上記吊り上げ用アイナット１３が設けられている。
【００１９】
これらの構造により、高さ調整ナット１６を回わすと、まいまい調整器２１はその突片２１ａがその両側の調整ボルト３２に回転を阻止され、それ故吊り下げ棒１５が上方又は下方に移動し、吊り下げ棒１５に吊り下げられた脚材吊り治具８及び脚材４の位置も上下し、これにより高さ調整ができる。また、相対向する上記調整ボルト３２の一方を緩め、他方を締め付ければ、突片２１ａが押されて動き、吊り下げ棒１５はまいまい調整器２１とともに回転する。
【００２０】
次に、上記脚材吊り下げ治具８の構造を図１３乃至図１６に基づいて説明する。この脚材吊り下げ治具８は、アングル材３３を相対向して並べ、これらのアングル材３３に支持板３４を渡して、一体化している。そしてこの各アングル材３３は上記脚材４のフランジ部４ａ上面にボルト止めされ、また、これらのアングル材３３に渡した脚材吊り金具１９の各脚部１９ａがアングル材３３の長手方向に一定巾移動自在となっている。これは、この脚材吊り金具１９の各脚部１９ａの下端外側には短円柱３５が一体に固定され、この短円柱３５及び脚部１９ａを貫く透孔を設け、上記各アングル材３３に、このアングル材３３の長手方向に沿って長孔３６を設け、これらの各アングル材３３の内側からボルト３７を長孔３６に通し、さらに上記各脚部１９ａ及び短円柱３５の透孔に通して、突出端でナット３８を螺着している。
【００２１】
そして上記各長孔３６の両脇のアングル材３３の外側に、ボルト支持片３９を突設し、これらの各ボルト支持片３９のネジ孔にボルト４０を螺着、貫通させ、これらの相対向する２つのボルト支持片３９に螺着した各ボルト４０を締め付けたり、緩めたりすることにより、これらのボルト４０が脚材吊り金具１９の脚部１９ａの短円柱３５の脇を押し、脚材吊り金具１９を各アングル材３３の長手方向に移動自在となっている。また、この脚材吊り金具１９の中央部には上記吊り下げ棒１５の下端が固定されている。
【００２２】
また、図１７及び図１８は上記振れ止めジャッキ２３の構成を示し、パンタグラフ状のジャッキ本体４１の上端から上方に伸びた操作軸４２が、パイプ４３に被冠されており、このパイプ４３の上端から突出した操作軸４２の上端にジャッキハンドル４４を設けている。またパイプ４３の外周一側には、フック４５が設けられ、当該フック４５を掘削杭２の上端に係止して上記ジャッキハンドル４４を回すと、操作軸４２が回転し、ジャッキ本体４１が開いたり、閉じたりする構成となっている。
【００２３】
なお、上記実施の形態例の工法では、地表面１から穴を掘って掘削坑とし、この掘削坑内に円筒状の掘削杭２を挿入しているが、この様に掘削杭２を設けず、掘削坑のままでも使用出来る。また、上記実施の形態例の工法では、脚材４を所望の位置、及び姿勢にした状態を保持するため、振れ止めジャッキ２３を用いたが、これに限らず、適宜のものを掘削坑の内周と脚材の外周との間に詰めて固定する等、他の適宜の方法が考えられる。
【００２４】
【発明の効果】
請求項１項、２項、４項、５項、６項、７項及び８項の各発明は、「く」の字型に曲がった脚材の据付け寸法調整、及び固定作業が地上で可能であり、掘削坑内に作業員が立ち入る必要がない。このため、作業時の安全性が向上する。しかも従来のような地上と掘削坑内の２ヵ所での同時作業がなく、従って掘削坑の上下で調整し合う必要がないので、作業が容易で、短時間の作業が可能となる。また、作業員が坑内に昇降する必要がないので、作業員の労力も軽減される。また、脚材は据付け架台に吊してその位置や姿勢を調整するため、脚材に作用する摩擦力が軽減されるので、微調整が容易に可能である。このため、調整作業がスムーズに行え、作業効率が良い。また、調整時及び固定時にも大きな労力を必要としないので、この面からも作業員の労働負担が軽減される。また、さらに据付け調整用ブロックを掘削坑内に設置する必要がないので、予め掘削坑を深く掘り、コンクリートを打設して床盤を作る必要が無く、坑内充填コンクリートの打ち継ぎ省略が可能であるうえ、掘削坑の内径を小さくすることができるので、掘削時間の短縮や、坑内充填コンクリート量の減少も達成することができる。このため、施工品質の向上、作業工程の短縮、建設工事費の削減が図れる。
【００２５】
また、請求項３項の発明は、上記請求項１項の発明の効果に加え、脚材を所定の姿勢、位置に固定した状態を維持するため、振れ止めジャッキを用いて、地上から容易に当該脚材を掘削坑内に固定でき、その後のコンクリート打設時にも、脚材がずれたりする恐れがない。
【図面の簡単な説明】
【図１】この発明の実施の形態例の工法において、脚材の姿勢、位置を調整後、固定した状態を示す説明図である。
【図２】この発明の実施の形態例の工法における第１工程を示す説明図である。
【図３】この発明の実施の形態例の工法における第２工程を示す説明図である。
【図４】この発明の実施の形態例の工法における第３工程を示す説明図である。
【図５】この発明の実施の形態例の工法における第４工程を示す説明図である。
【図６】この発明の実施の形態例の工法における第５工程を示す説明図である。
【図７】この発明の実施の形態例の工法における第６工程を示す説明図である。
【図８】この発明の実施の形態例の工法における第７工程を示す説明図である。
【図９】この発明の実施の形態例の工法において、脚材の姿勢、位置を調整後、固定した状態を示す平面説明図である。
【図１０】この発明の実施の形態例の工法に使用する調整装置の平面図である。
【図１１】この発明の実施の形態例の工法に使用する調整装置の正面図である。
【図１２】この発明の実施の形態例の工法に使用する調整装置の、図１１のＡ部詳細図である。
【図１３】この発明の実施の形態例の工法に使用する脚材吊り下げ治具の平面図である。
【図１４】この発明の実施の形態例の工法に使用する脚材吊り下げ治具の正面図である。
【図１５】この発明の実施の形態例の工法に使用する脚材吊り下げ治具側面図である。
【図１６】この発明の実施の形態例の工法に使用する脚材吊り下げ治具のアングル材箇所の内側面図である。
【図１７】この発明の実施の形態例の工法に使用する振れ止めジャッキの正面図である。
【図１８】この発明の実施の形態例の工法に使用する振れ止めジャッキの一部側面図である。
【図１９】塔状構造物の概略を示す説明図である。
【図２０】従来の脚材据付け工法を示す正面説明図である。
【符号の説明】
１    地表面                      ２    掘削杭
３    据付け架台                  ４    脚材
７    クレーンのフック            ８    脚材吊り下げ治具
１２    調整装置                  １５    吊り下げ棒
１６    高さ調整ナット            １９    脚材吊り金具
２１    まいまい調整器            ２２    振れ止め
２３    振れ止めジャッキ
【図１】
0003732721.tif 000002
【図２】
0003732721.tif 000003
【図３】
0003732721.tif 000004
【図４】
0003732721.tif 000005
【図５】
0003732721.tif 000006
【図６】
0003732721.tif 000007
【図７】
0003732721.tif 000008
【図８】
0003732721.tif 000009
【図９】
0003732721.tif 000010
【図１０】
0003732721.tif 000011
【図１１】
0003732721.tif 000012
【図１２】
0003732721.tif 000013
【図１３】
0003732721.tif 000014
【図１４】
0003732721.tif 000015
【図１５】
0003732721.tif 000016
【図１６】
0003732721.tif 000017
【図１７】
0003732721.tif 000018
【図１８】
0003732721.tif 000019
【図１９】
0003732721.tif 000020
【図２０】
0003732721.tif 000021